(57)【要約】【課題】特に乾燥機能付きランドリ機器において、実質的に開閉操作以外では洗濯物の出し入れ用開口を開閉できない扉体とし、運転中は扉体を開くための開閉操作ができない構成として安全を確保すると共に、運転中に洗濯物の盗難に遭うことがなく、運転終了にて扉体を開くことが許容される状態では扉体を開く開閉操作ができるようにし、ドラム内に子供が入った状態で開閉操作ができない状態になっても、ドラム内から扉体を押し開くことが容易となる扉体を提供する。【解決手段】本体の開口部を開閉するように、一側がヒンジ装置で支持され他側に取っ手部を設けた扉体であって、取っ手部は扉体の凹部内に形成され、開閉操作時に押し開くことができる開閉蓋を凹部の開口部に回動可能に設け、取っ手部への開閉操作が不可能状態に開閉蓋の回動を規制する規制手段を備え、規制手段にて開閉蓋が凹部の開口部を閉じた状態に規制されても、ドラム内から扉体を押し開くことを可能とする。【選択図】図７
2015159888.tif 000002
【特許請求の範囲】
【請求項１】
開口部に設けられ、一端部がヒンジ装置で回動自在に支持され、他端部に取っ手装置が設けられる扉体であって、
前記取っ手装置は前記扉体に形成される凹部に設けられ、
使用者の手指を引掛けるための取っ手部を有し、
使用者の手指を引掛け可能な状態と、引掛け不能な状態とに切換え可能であることを特徴とする扉体。
【請求項２】
前記取っ手装置は、
前記凹部の開口部に回動自在に設けられ、前記凹部の開口を塞ぐ開閉蓋と、
前記開閉蓋の回動を規制する規制手段とを含み、
前記規制手段は、前記開閉蓋の回動を規制する第１状態と前記開閉蓋の回動を許容する第２状態とに切換え可能であることを特徴とする請求項１に記載の扉体。
【請求項３】
前記扉体は、
本体部と、
本体部に取り付けられ扉体の前面の一部を成す蓋体を含んで構成され、
前記凹部は前記蓋体に形成され、
前記開閉蓋は、第１状態であるとき、前記蓋体の表面部と一連の表面を形成することを特徴とする請求項１または請求項２に記載の扉体。
【請求項４】
前面側に衣類等を出し入れするための本体開口部が形成される機器本体と、
前記機器本体内に収容され、前記本体開口部に対応する前面開口部を形成されるドラムと、
前記本体開口に設けられ、一端部がヒンジ装置で回動自在に支持され、他端部に取っ手装置が設けられる扉体とを含み、
前記扉体は請求項１乃至請求項３のいずれかに記載の扉体であることを特徴とする乾燥機能付きランドリ機器。
【発明の詳細な説明】
【技術分野】
【０００１】
本発明は、機器本体の開口部を開閉するように、一側がヒンジ装置で支持され他側に取っ手部を設けた扉体に関し、特に、扉体の開閉が、前記取っ手部によって開閉操作可能な構成の機器の扉体、およびこの扉体を備えた乾燥機能付きランドリ機器に関する。
【背景技術】
【０００２】
コインランドリ施設内に設置されるガス乾燥機能付きのランドリ機器あるいは電気乾燥機能付きのランドリ機器は、大量の衣類や、布団・毛布などの寝具等（以下、洗濯物という）をドラム内に入れ、回転するドラム内に入れた洗濯物を乾燥、または洗濯・乾燥を行なうために、ドラムの直径が大きく、洗濯物を出し入れするためのドラムの前面側の入り口開口も大きく、例えば、ドラムの開口直径が６００〜９００ｍｍ前後、ドラムの奥行きが７００〜８００ｍｍ前後の大型のものが設置されている。
【０００３】
このようにドラムの直径が大きく、洗濯物を出し入れするためのドラムの前面側の入り口開口も大きい大型の乾燥機能付きランドリ機器においては、運転休止状態において、ドラム内に幼児など子供が侵入する虞がある。このため、ＪＩＳや日本ガス機器検査協会では、扉は、開閉操作が容易で、且つ、確実であること。更に、ドラム内に入った幼児など子供が自身で脱出可能とするために、扉はドラム内部から押して容易に開けられるものでなければならない旨規定されている。
【０００４】
従来の電気乾燥機能付きの乾燥機は、特許文献１に示されるように、ドア（扉）４の開閉は、ドア４に設けた取っ手によって開閉可能な構成である。特許文献１には記載されていないが、一般的構成として、ドア４を乾燥機の外箱１に対して、磁石の引力によって閉じた状態に保持する保持機構を備えており、これによって、乾燥運転中はドア４が閉じた状態に保持され、ドラム１０からの衣類の飛び出しを防止している。そして、乾燥運転終了時には、この磁石の引力に抗して取っ手によりドア４を容易に開くことができる構成となっている。
【先行技術文献】
【特許文献】
【０００５】
【特許文献１】特開平１０−２３５０８６号公報
【発明の概要】
【発明が解決しようとする課題】
【０００６】
上記のような電気乾燥機能付きの乾燥機が設置されたコインランドリ施設において、扉体であるドア４は乾燥運転中、磁石の引力によって閉じた状態に保持されている。しかしながら、ドア４は磁石の引力によって本体に固定されているので、取っ手を把持して外方から容易に開くことができるため、利用者が乾燥運転中にコインランドリ施設から離れた場合、ドラム１０内の衣類が盗難に遭うことが懸念される。
【０００７】
本発明は上記の点に鑑み、扉体は磁石等の簡素な保持機構によって閉じた状態が保持され、取っ手によって扉体の開閉操作が容易であり、運転中の衣類の飛び出し防止効果があり、衣類の盗難防止効果があり、更に、ドラム内に子供が入った状態でもドラム内から扉体を押し開くことができる構成によって、子供の脱出が容易となる安全効果を奏する扉体を提供する。
【０００８】
コインランドリ施設内に設置される乾燥機能付きランドリ機器として、たとえば全自動運転によって衣類等の洗濯物を乾燥させる乾燥機能単体のドラム式衣類乾燥機や、全自動運転によって衣類等の洗濯物を洗濯脱水させ乾燥させる洗濯機能と乾燥機能の両方を備えたドラム式洗濯乾燥機がある。
本発明に係る扉体は、このようなコインランドリ施設内に設置される乾燥機能付きランドリ機器に好適に利用することができるため、本発明は、上記の効果を奏する扉体を備えた乾燥機能付きランドリ機器を提供するものである。
【０００９】
なお、扉体を閉じた状態に保持する保持機構は、磁石の引力によって閉状態を維持する方式の他に、本体ケース側と扉側の一方側に突起部を設け、この突起部が着脱可能に保持される弾性キャッチ部を他方側に設けた周知の機械的な弾性キャッチャー方式でもよいため、これら両方の方式を含むものである。
【課題を解決するための手段】
【００１０】
本発明は、
開口部に設けられ、一端部がヒンジ装置で回動自在に支持され、他端部に取っ手装置が設けられる扉体であって、
前記取っ手装置は前記扉体に形成される凹部に設けられ、
使用者の手指を引掛けるための取っ手部を有し、
使用者の手指を引掛け可能な状態と、引掛け不能な状態とに切換え可能であることを特徴とする扉体である。
【００１１】
また本発明は、
前記取っ手装置は、
前記凹部の開口部に回動自在に設けられ、前記凹部の開口を塞ぐ開閉蓋と、
前記開閉蓋の回動を規制する規制手段とを含み、
前記規制手段は、前記開閉蓋の回動を規制する第１状態と前記開閉蓋の回動を許容する第２状態とに切換え可能であることを特徴とする。
【００１２】
また本発明は、
前記扉体は、
本体部と、
本体部に取り付けられ扉体の前面の一部を成す蓋体を含んで構成され、
前記凹部は前記蓋体に形成され、
前記開閉蓋は、第１状態であるとき、前記蓋体の表面部と一連の表面を形成することを特徴とする。
【００１３】
また本発明は、
前面側に衣類等を出し入れするための本体開口部が形成される機器本体と、
前記機器本体内に収容され、前記本体開口部に対応する前面開口部を形成されるドラムと、
前記本体開口に設けられ、一端部がヒンジ装置で回動自在に支持され、他端部に取っ手装置が設けられる扉体とを含み、
前記扉体は上記第１番目乃至第３番目に記載の発明のいずれかに記載の扉体であることを特徴とする乾燥機能付きランドリ機器である。
【発明の効果】
【００１４】
本発明に係る取っ手装置は、扉体の凹部に設けることにより、凹部の開口部に設けた開閉蓋によって取っ手部への手指の挿入が不可能状態と可能状態とに制御することができるので、扉体の開閉操作を不可能状態に維持する構造及びその制御がし易い構成となる。即ち、簡易な構成で扉体の開閉操作を規制することができる。
【００１５】
本発明に係る取っ手装置は、扉体の凹部に設けられ、使用者の手指を引掛けるための取っ手部を有し、前記凹部の開口部に回動自在に設けられ前記凹部の開口を塞ぐ開閉蓋と、前記開閉蓋の回動を規制する規制手段とを含む。前記規制手段は、前記開閉蓋の回動を規制する第１状態と前記開閉蓋の回動を許容する第２状態とに切換え可能である。このため、前記規制手段によって開閉蓋が手指の挿入が可能な前記第２状態にあるときは扉体の開閉操作が容易である。また、例えば、機器の運転中は開閉蓋を手指の挿入不可能な前記第１状態とすることにより、扉体が機器本体の開口部を閉じている状態を保つことができ、運転中に扉体が外方から開かれることを防止することができる。更に、機器本体の開口部から子供が入って閉じ込められ、開閉蓋が手指の挿入不可能状態になった場合、外方から扉体を開くことはできないが、扉体を機器本体内側から押すことにより扉体を開くことができるため、機器本体内から子供の脱出が容易となり、安全対策が講じられた扉体となる。
【００１６】
また、本発明では、手指の挿入ができない状態に開閉蓋を維持する効果と相俟って、開閉蓋が凹部の開口部を塞いだ状態が、扉体の蓋体と一連の表面を形成する状態となることにより、扉体の表面形態との調和がとれたデザイン的効果が得られるものとなる。
【００１７】
本発明に係る扉体を備えた乾燥機能付きランドリ機器にあっては、取っ手部は扉体の凹部に形成され、凹部の開口部において取っ手部への手指の挿入が不可能状態と可能状態とに切り替えられる開閉蓋を備えているため、開閉蓋が手指の挿入可能状態にあるときは、手指の挿入による扉体の開閉操作が容易である。そして、ランドリ機器の運転中は開閉蓋を手指の挿入不可能状態に維持することにより、従来同様にランドリ機器の運転中は扉体が磁石によってランドリ機器本体の開口部を閉じている状態を保つことができ、運転中の洗濯物の飛び出し防止ができると共に、運転中に洗濯物の盗難に遭うことがない。また、ランドリ機器本体の開口部から子供がドラム内に入って閉じ込められ、開閉蓋が開閉操作不可能状態になった場合には、外方から扉体を開くことはできないが、磁石の引力に抗して扉体を機器本体内側から押すことにより、扉体を開くことができるため、ランドリ機器本体内から子供の脱出が容易となり、安全対策が講じられた乾燥機能付きランドリ機器となる。
【００１８】
また、本発明では、扉体の開閉は、実質的には開閉操作のみによって行なう扉体とすることにより、従来のように磁石等簡素な機構によって扉体が機器本体の開口部を閉じている状態を保つことができるため、扉体が機器本体の開口部を閉じた状態を保つための機構が簡素化され、特別な構成の扉閉止状態維持機構を設ける必要がなくなる。
【図面の簡単な説明】
【００１９】
【図１】本発明の一実施形態に係るドラム式衣類乾燥機１の正面を示す部分断面図である。
【図２】ドラム式衣類乾燥機１の内部構成を説明する縦断面図である。
【図３】扉体８の正面図である。
【図４】図３のＡ−Ａ断面図である。
【図５】図３のＢ−Ｂ断面図である。
【図６】取っ手装置１０の開閉蓋３５が閉じた状態を示す断面図である。
【図７】取っ手装置１０の開閉蓋３５が開いた状態を示す断面図である。
【図８】ドラム式衣類乾燥機１の機能を示すブロック図である。
【図９】ドラム式衣類乾燥機１の動作を示すフローチャートである。
【発明を実施するための形態】
【００２０】
本発明は、機器本体の開口部を開閉するように、一側がヒンジ装置で支持され他側に取っ手装置が設けられ、扉体の開閉が、前記取っ手装置の取っ手部によって開閉操作可能な構成の扉体であって、前記取っ手部は前記扉体の凹部に形成され、前記凹部の開口部において前記取っ手部への手指の挿入が不可能状態と可能状態とに切り替えられる開閉蓋を設けた扉体であり、更に、この扉体を備えた乾燥機能付きランドリ機器である。
【００２１】
この乾燥機能付きランドリ機器にあっては、衣類等を出し入れする本体開口を前面側に形成した機器本体と、機器本体内に収容され本体開口に対応する前面開口を形成したドラムと、本体開口を開閉するよう機器本体に一側がヒンジ装置で支持され他側に取っ手部を有し扉体の開閉が前記取っ手部によって開閉操作可能な構成の扉体を備える。扉体の前面の一部をなす蓋体の前面から裏側まで侵入した凹部によって取っ手部が形成される。前記凹部の開口部において前記取っ手部へ使用者の手指の挿入が不可能状態と可能状態とに切り替えられる開閉蓋と、前記開閉蓋が前記凹部の開口部を閉じた状態に付勢するバネと、前記開閉蓋が前記凹部の開口部を閉じた状態を保持する第１状態とこの保持を解除する第２状態とに作動する規制手段を備え、前記第１状態は、前記取っ手部への使用者の手指の侵入が阻止される開閉阻止状態であり、前記第２状態は、バネ力に抗して開閉蓋を押し開いて前記取っ手部への使用者の手指の侵入が可能な状態となる構成である。
【００２２】
本発明に係る扉体を採用して効果的な機器の一つとして、乾燥機能付きランドリ機器がある。この乾燥機能付きランドリ機器は、洗濯物をドラムに対して出し入れするための開口が前面に配置され、この開口に対して開閉される扉体（以下、ドア、蓋の呼称のいずれも含む）を前面に設けたものであり、以下に、その実施例を記載する。
【実施例１】
【００２３】
本発明に係る扉体を備えたランドリ機器は、全自動運転によって衣類等の洗濯物を乾燥させる乾燥機能単体のドラム式衣類乾燥機や、全自動運転によって衣類等の洗濯物を洗濯脱水させ乾燥させる洗濯機能と乾燥機能の両方を備えたドラム式洗濯乾燥機の総称を意味する。以下、全自動運転によって衣類等の洗濯物を乾燥させる乾燥機能単体のドラム式衣類乾燥機において、本発明の実施例を説明する。
【００２４】
図１は本発明の一実施形態に係るドラム式衣類乾燥機１の正面を示す部分断面図である。図２はドラム式衣類乾燥機１の内部構成を説明する縦断面図である。
図１及び図２に示すように、ドラム式衣類乾燥機１の本体２内は、上部に加熱室２Ａ、中間部に乾燥室２Ｂ、下部に機械室２Ｃを配置している。本体２の前面に相当する乾燥室２Ｂの前面２Ｆには、乾燥させるための衣類等の洗濯物を出し入れするための円形状の本体開口３が形成されている。
【００２５】
乾燥室２Ｂには、軸受け５にて支持された略水平な横軸４を回転中心として回転可能に設けられるドラム６が配置され、ドラム６は有底円筒形状に形成され、前面開口６Ａを有する。ドラム６は、ドラム６の前面開口６Ａが本体開口３に対向した状態で配置される。ドラム６の周囲壁には、多数の通気孔６Ｂ（図２には一部分のみ図示）が穿孔される。
【００２６】
本体２には一端側に設けたヒンジ装置７によって回動自在に支持される扉体８が設けられる。ヒンジ装置７は、本体２の上下方向に沿って延びるヒンジピン７Ｂを有する。扉体８は、前記ヒンジピン７Ｂを回転中心として、水平方向に回動自在に支持され、本体開口３を開閉可能に形成される。扉体８の開閉は、ヒンジ装置７の反対側に設けた後述の取っ手装置１０によって開閉操作される。扉体８の開閉に伴って、ドラム６の前面開口６Ａも開閉される構成であり、扉体８を閉じたとき、扉体８の裏側へ突出した後述する差込み片部８Ｔが、ドラム６の前面開口６Ａからドラム６内に若干侵入する状態となり、乾燥工程における洗濯物の飛び出しを防止する。
【００２７】
加熱室２Ａには、加熱空気を発生させるための加熱装置１１が収容される。加熱装置１１は、たとえば電気ヒータやガスバーナ等で実現され、本実施例では運転コスト等を考慮してガスバーナ式加熱装置１１で実現される。ガスバーナ式加熱装置１１で加熱された加熱空気を乾燥室２Ｂに導くために、ガスバーナ式加熱装置１１の上方にはカバー１２が設置され、カバー１２の一端側下方には乾燥室２Ｂに連通する連通路１３が形成される。ガスバーナ式加熱装置１１の燃焼は燃焼制御部１１Ａによって制御される。カバー１２の下側面には過熱防止用温度センサ１４が設けられる。加熱室２Ａの後壁には空気流入口１９が形成される。
【００２８】
加熱室２Ａには、加熱装置１１から離れた一側方にコイン検出装置１５が配置され、加熱室２Ａの前面には、コイン検出装置１５へのコイン投入口１６と、投入金額及び乾燥運転残り時間を選択表示する表示部１７と、運転状態表示部１８が配置される。
【００２９】
機械室２Ｃは前部上面が乾燥室２Ｂと連通部２０にて連通する。機械室２Ｃには、連通部２０から機械室２Ｃへ流入する空気中の塵埃を捕捉するリントフィルタ２１と、リントフィルタ２１の後方に配置した送風ファン２２と、送風ファン２２を駆動するファンモータ２３と、ドラム６を回転駆動するためのドラムモータ２４とが配置される。機械室２Ｃの後壁には、送風ファン２２によって送り出された機械室２Ｃ内の空気を外気に放出するための空気流出口２８が形成される。
【００３０】
ドラムモータ２４は、ドラムモータ２４の回転軸の後端部に取り付けられるプーリ２５Ａとドラム６の横軸４の後端部に取り付けられるプーリ２５Ｂとにわたって架け渡されるベルト２６を、プーリ２５Ａを回転させて移動させ、プーリ２６Ｂを回転させることによりドラム６を回転させる。これによってドラム６が低速回転する。プーリ２５Ａ、プーリ２５Ｂ、及びベルト２６は、本体２の後壁に取り付けた後カバー２７で覆われる収容空間内に配置される。
【００３１】
乾燥室２Ｂには温度調整用温度センサ２９が配置される。また機械室２Ｃには、クールダウン温度センサ３０が配置される。
【００３２】
図３は、扉体８の正面図であり、図４は、図３のＡ−Ａ断面図である。
本体２の前面２Ｆには、本体開口３Ａを規定する開口部３が形成される。開口部３は、前面２Ｆよりも、ドラム６側に退避して形成される。開口部３の周縁には、開口部３を外囲する環状の取付部２Ｆ１が形成される。取付部２Ｆ１の表面部と前面２Ｆとは略平行であり、取付部２Ｆ１と前面２Ｆとは連結部２Ｆ２によって連結される。
【００３３】
扉体８は、平面視において環状に形成される本体部８Ｃと、本体部８Ｃに取付けられる環状の枠体８Ｂと、枠体８Ｂに内嵌される蓋体８Ａと、蓋体８Ａに形成される切欠き部８Ｄに取り付けられる取っ手装置１０とを含んで構成される。枠体８Ｂと蓋体８Ａとで扉体８の前面を形成する。本体部８Ｃは、環状のフランジ部８Ｃ１と、フランジ部８Ｃ１の内縁に連なって形成されドラム６に向かって延びる環状の差込み片部８Ｔとを有する。枠体８Ｂは、全周に亘ってフランジ部８Ｃ１に当接して設けられ、その外周縁とフランジ部８Ｃ１の外周縁とは、パッキン３３によって水密性が保持された状態で連結される。扉体８には、ヒンジ装置７のヒンジ片７Ａが連結され、ヒンジ装置７のヒンジピン７Ｂ回りに回動可能に設けられる。
【００３４】
蓋体８Ａは、枠体８Ｂの内周に合わせて、有底円筒状に形成される。蓋体８Ａの側壁部には、蓋体８Ａの半径方向の外方に屈曲して延出するフランジ部８Ａ１が形成され、蓋体８Ａの底部をドラム６とは反対側に配置して、本体部８Ｃのフランジ部８Ｃ１と枠体８Ｂとの間に蓋体８Ａのフランジ部８Ａ１が挟まれた状態で組み付けられる。蓋体８Ａには、取っ手装置１０を取り付けるための矩形の切欠き部８Ｄが形成される。
【００３５】
切欠き部８Ｄ近傍のフランジ部８Ｃ１には、取付部２Ｆ１に対向して磁石３２が設けられる。また磁石３２に対向する位置には、磁性部３１が設けられる。扉体８において、ヒンジ装置７が取り付けられる側を一端部といい、切欠き部８Ｄ及び磁石３２が設けられる側を他端部という。
扉体８は、磁石３２の引力によって磁性部３１と接触した状態が保持され、これにより閉じた状態を保持する構成である。このように扉体８を閉じた状態に保持する機構を保持機構ＨＯという。
【００３６】
保持機構ＨＯは、本体開口３を閉じた状態に扉体８を保持し、乾燥運転中に洗濯物がドラム６及び本体開口３から飛び出すことを防止し、後述する開閉操作により閉じた状態を解除して開くことができる。また扉体８は、磁石３２の引力によって閉じた状態を維持する構成であるので、ドラム６の内側から前記引力を超える力を加えれば、閉じた状態を解除して開くことができる。実施例では、この保持機構ＨＯとして磁石方式を採用している。その磁石方式として、実施例では本体開口３の周縁部の前面側の磁性部３１に吸着する磁石３２が扉体８の裏側に設けられている。磁石３２が磁性部３１に当接した状態において本体開口３が密閉されるようにするために、扉体８の裏面の周縁部には、本体開口３の周縁部に密着するパッキン３３が設けられており、磁性部３１及び磁石３２はこのパッキン３３の内側位置に配置される。
【００３７】
ドラム式衣類乾燥機１には、磁石３２が引力により磁性部３１に当接して扉体８が本体開口３を閉じた状態であるか否かを検出するドアスイッチ３４が設けられている。このドアスイッチ３４の配置は図示していないが、一つの手段として、扉体８が本体開口３を閉じた状態で、磁石３２によって接点が閉じるリードスイッチ方式があり、また他の手段として、扉体８が本体開口３を閉じた状態で、扉体８の一部によって作動するマイクロスイッチ方式が採用される。
【００３８】
図５は、図３のＢ−Ｂ断面図であり、図６は、取っ手装置１０の開閉蓋３５が閉じた状態を示す断面図であり、図７は、取っ手装置１０の開閉蓋３５が開いた状態を示す断面図である。
取っ手装置１０は、図４乃至図７に示すように、扉体８の他端部に形成される凹部３７に設けられる。取っ手装置１０は、開閉蓋３５と使用者の手指を引掛けるための取っ手部３６とを含んで構成される。
取っ手部３６は、扉体８の前面の一部である蓋体８Ａに形成される切欠き部８Ｄからドラム６側に規定される指挿入用の凹部３７によって形成された指掛け部である。取っ手部３６は、扉体８の前面の一部をなす蓋体８Ａの前面から裏側まで侵入した凹部３７によって形成された指掛け部の構成である。これによって、扉体８を開閉し易い使用者の手指引っ掛け式の取っ手部３６を簡易に形成できる。
【００３９】
指挿入用の凹部３７は、切欠き部８Ｄに前面フランジ３７Ｆが係止する状態に取り付けた凹部形成部材３７Ｂによって形成される。開閉蓋３５は凹部形成部材３７Ｂに設けた支持軸３８によって、凹部３７の開口部３７Ａに回動自在に設ける。開閉蓋３５は、凹部３７の開口部３７Ａを閉じた状態（塞いだ状態）と凹部３７の開口部３７Ａを開いた状態とに回動可能である。凹部３７は、扉体８の蓋体８Ａに周縁フランジ部が係止される凹部形成部材３７Ｂによって、扉体８の内部に区画形成される。開閉蓋３５は、凹部３７の側壁を形成する凹部形成部材３７Ｂを厚味方向に貫通して設けられる一対の支持軸３８によって、この支持軸回りに回動可能に支持され、凹部３７の開口部３７Ａを閉じた状態と、凹部３７の開口部３７Ａを開いた状態とに開閉可能に支持される。
【００４０】
開閉蓋３５は、支持軸３８には、コイルバネ３９が巻回される。コイルバネ３９は、開閉蓋３５に対して凹部３７の開口部３７Ａを閉じる状態に向けて付勢する。開閉蓋３５の後端部の裏側が当節する位置には、開閉蓋３５が凹部３７の開口部３７Ａを閉じた状態に維持するための、ストッパ４０が設けられる。これによって、開閉蓋３５がストッパ４０に当接し凹部３７の開口部３７Ａを閉じた状態において、扉体８の蓋体８Ａと連続して平坦をなすことができるので、開閉蓋３５は扉体８の蓋体８Ａと一連の表面を形成する状態となる。このため、扉体８の外方から手指を指掛け部に挿入売ることができないので、扉体８の開閉操作ができない状態に開閉蓋３５を維持することができる。また開閉蓋３５と蓋体８Ａとが平坦をなすことができるので、扉体８の意匠性を向上することができる。
【００４１】
扉体８を開く開閉操作をする場合は、図７に示すように、利用者は開閉操作をする手指ＦＧでもってコイルバネ３９の付勢に抗して開閉蓋３５を凹部３７側へ向けて押し込み、手指ＦＧを取っ手部３６に引っ掛けた状態で、磁石３２の磁性部３１への引力に抗して扉体８を手前に引けば、ヒンジ装置７を軸として扉体８を開くことができる。
【００４２】
取っ手装置１０は、開閉蓋３５の回動を規制する規制手段４１をさらに含む。規制手段４１は、開閉蓋３５の回動を規制する第１状態と、開閉蓋３５の回動を許容する第２状態とに作動する。前記第１状態が取っ手部３６への手指ＦＧの侵入が阻止される阻止状態であり、前記第２状態が開閉蓋３５を回動させて取っ手部３６への手指ＦＧの侵入が許容される状態である。
【００４３】
本実施形態では、規制手段４１は、ソレノイド方式としている。規制手段４１は、前記第１の状態では、図５に点線４１Ｐ１で示すように、ドアロックソレノイド４１Ｓへの通電にてロックピン４１Ｐが扉体８の裏側へ突出し、扉体８の表側から開閉蓋３５を回動させる方向に力を与えても、扉体８の裏側に形成される凸部３５Ｔがロックピン４１Ｐに干渉し、開閉蓋３５の回動を規制して開閉操作ができない状態に保持する。取っ手ロックスイッチ４２は、ロックピン４１Ｐが扉体８の裏側へ突出した状態であるか否かを検出する。また、前記第２状態では、図５に実線で示すように、ドアロックソレノイド４１Ｓへの通電を停止すると、ロックピン４１Ｐは扉体８の裏側から退避し、開閉蓋３５は、コイルバネ３９の付勢に抗して回動することができ、開閉操作ができるようになる。
【００４４】
他の実施形態として、規制手段４１をステッピングモータ方式で実現してもよい。この場合、ドアロックソレノイド４１Ｓに替えてステッピングモータを設け、このステッピングモータの正方向回転と逆方向回転によって、ロックピン４１Ｐが扉体８の裏側に対し進出及び退避する構成とする。このため、前記第１状態では、ステッピングモータへの正方向クロックパルス通電にてロックピン４１Ｐを扉体８の裏側へ突出させ、扉体８の表側から開閉蓋３５を回動させようとしても、扉体８の裏側に形成される凸部３５Ｔがロックピン４１Ｐに干渉し、開閉蓋３５の回動を規制して開閉操作ができない状態に保持する。また、前記第２状態では、ステッピングモータへの逆方向クロックパルス通電にてロックピン４１Ｐを扉体８の裏側から退避させる。これによって、開閉蓋３５の回動の規制を解除して、開閉蓋３５をコイルバネ３９の付勢に抗して回動可能とすることができ、開閉操作が可能となって扉体８の開閉操作が可能となる。
【００４５】
以上の構成を採用することによって、ドラム式衣類乾燥機１は、乾燥運転中等のように扉体８を開くと危険な状態では、規制手段４１を第１状態にすることにより、扉体８の開閉操作を規制することができ、安全である。そして、乾燥運転終了後等のように扉体８を開くことが許容される状態では、規制手段４１を第２状態に切り替えることによって、扉体８の開閉操作を許容することができるので、ドラム６から乾燥した洗濯物を取り出すことができる。
【００４６】
規制手段４１の取っ手ロックスイッチ４２は、ロックピン４１Ｐが開閉蓋３５の裏側へ突出し、開閉蓋３５を押し開くことができない前記第１状態であることを検知するものである。
【００４７】
図８は、ドラム式衣類乾燥機１の機能を示すブロック図である。
ドラム式衣類乾燥機１は、制御部４３と負荷駆動部４４をさらに含む。
制御部４３は、コイン検出装置７、ドアスイッチ３４、温度センサ１４、２９、３０、及び取っ手ロックスイッチ４２からの信号を受信し、投入金額及び乾燥運転残り時間を選択表示する表示部１７と、運転状態表示部１８へ表示信号を出力する。また、負荷駆動部４４は、制御部４３の動作に基づき動作する。負荷駆動部４４の動作によって、加熱装置１１の燃焼制御部１１Ａ、ファンモータ２３、ドラムモータ２４、及び規制手段４１のドアロックソレノイド４１Ｓや前記ステッピングモータの通電制御を行う。制御部４３による動作及び負荷駆動部４４による動作は、以下のように、図９に示すドラム式衣類乾燥機１の動作を示すフローチャートに基づき、ステップごとに説明する。
【００４８】
規制手段４１に上記のようにソレノイド方式を採用した場合のドラム式衣類乾燥機１の運転動作について記載する。図９は、ドラム式衣類乾燥機１の動作を示すフローチャートである。
【００４９】
＜ステップＳ１＞
主電源がオンされるとドラム式衣類乾燥機１は、待機状態となる。待機状態では、制御部４３は、ドアロックソレノイド４１Ｓへの通電を停止し、規制手段４１を第２状態で維持する。そしてステップＳ２に移行する。
【００５０】
＜ステップＳ２＞
ステップＳ２では、制御部４３は、コイン検出装置７から予め定める額の硬貨が投入されたことを示すコイン検出信号を受信したか否かを判断する。コイン検出信号を受信した場合はステップＳ３に移行し、コイン検出信号を受信しなかった場合はステップ１に戻る。
【００５１】
＜ステップＳ３＞
ステップ３では、制御部４３は、ドアスイッチ３４からの検知信号を受信したか否かを判定する。制御部４３は、検知信号を受信していれば、扉体８が閉止状態であると判断してステップ４に移行し、検知信号を受信していなければ、扉体８が開放状態であると判断してステップ３を繰り返す。
【００５２】
＜ステップＳ４＞
ステップＳ４では、制御部４３は、負荷駆動部４４に対してドラムモータ４４、ファンモータ２３および加熱装置１１を駆動すべき信号を通知し、ドラムモータ４４、ファンモータ２３および加熱装置１１を駆動させて乾燥運転モードを開始し、ステップ５に移行する。
【００５３】
＜ステップＳ５＞
ステップ５では、制御部４３は、ステップ４から予め定める時間を経過したか否かを判断し、予め定める時間を経過したと判断すると、図示しない電力供給部にドアロックソレノイド４１Ｓへの通電を許容する信号を発信し、ドアロックソレノイド４１Ｓに通電を行いステップＳ６に移行する。
【００５４】
＜ステップＳ６＞
ステップＳ６では、制御部４３は、取っ手ロックスイッチ４２からの信号を受信したか否かを判定する。制御部４３は、信号を受信していれば、規制手段４１が第１状態であると判断してステップＳ７に移行する。制御部４３は、信号を受信していなければ、規制手段４１が第２状態であると判断してステップＳ５に戻る。
【００５５】
＜ステップＳ７＞
ステップＳ７では、制御部４３は、ドアスイッチ３４からの検知信号を受信したか否かを判定する。制御部４３は、検知信号を受信していれば、扉体８が閉止状態であると判断してステップＳ８に移行し、検知信号を受信していなければ、扉体８が開放状態であると判断してステップ９に移行する。
【００５６】
＜ステップＳ８＞
ステップＳ８では、制御部４３は、図示しない時間カウンタの残り時間が０であるか否かを判断する。残り時間が０でなければステップＳ７に戻り、残り時間が０であればステップＳ１２に移行する。
【００５７】
乾燥運転モードにおいては、ガスバーナ式加熱装置１１、ファンモータ２３、ドラムモータ２４が稼働され、ドラム６が回転する。空気流入口１９から流入した空気は、ガスバーナ式加熱装置１１で加熱されて加熱空気となり、この加熱空気がドラム６の外周を加熱しつつ通気孔６Ｂからドラム６内へも侵入して、ドラム６内の衣類等の洗濯物を乾燥させる。洗濯物を乾燥させた空気はリントフィルタ２１を通って空気流出口２８から流出する。乾燥運転開始モードでは、制御部４３が温度調整用温度センサ２９の検知状態に基づき、燃焼制御部１１Ａによってガスバーナ式加熱装置１１の燃焼制御を行う。制御部４３は、温度調整用温度センサ２９によって異常過熱を検知すると、ガスバーナ式加熱装置１１の燃焼を停止する。
【００５８】
＜ステップＳ９＞
ステップＳ９では、制御部４３は、負荷駆動部４４に信号を送り、ドアロックソレノイド４１Ｓへの通電を停止し、ステップＳ１０へ移行する。
【００５９】
＜ステップＳ１０＞
ステップＳ１０では、制御部４３は、負荷駆動部４４に信号を送り、ガスバーナ式加熱装置１１、ファンモータ２３及びドラムモータ２４の稼働を停止し、ステップＳ１１に移行する。
【００６０】
＜ステップＳ１１＞
ステップＳ１１では、制御部４３は、ドアスイッチ３４からの検知信号を受信したか否かを判定する。制御部４３は、検知信号を受信していれば、扉体８が閉止状態であると判断してステップＳ４に移行し、負荷駆動部４４に信号を送り、ガスバーナ式加熱装置１１、ファンモータ２３及びドラムモータ２４が稼働し、ドラム６内の衣類等の洗濯物を乾燥させる。また、検知信号を受信していなければ、扉体８が開放状態であると判断してステップ９に戻る。
【００６１】
＜ステップＳ１２＞
ステップＳ１２では、制御部４３は、負荷駆動部４４に信号を送り、ガスバーナ式加熱装置１１の稼働を停止し、ファンモータ２３及びドラムモータ２４が運転を継続する。このため、空気流入口１９から流入した空気によってドラム６の温度及びドラム６内の洗濯物の温度を下げるクールダウン運転モードとなり、ステップＳ１３に移行する。
【００６２】
＜ステップＳ１３＞
ステップ１３では、制御部４３は、負荷駆動部４４に信号を送り、ドアロックソレノイド４１Ｓへの通電を停止し、ステップＳ１４に移行する。
【００６３】
＜ステップＳ１４＞
ステップＳ１４では、制御部４３は、取っ手ロックスイッチ４２からの信号を受信したか否かを判定する。制御部４３は、信号を受信していれば、規制手段４１が第１状態であると判断してステップＳ１３に戻る。制御部４３は、信号を受信していなければ、規制手段４１が第２状態であると判断してステップＳ１５に移行する。
【００６４】
＜ステップＳ１５＞
ステップＳ１５では、制御部４３は、温度調整用温度センサ２９からの信号が予め定める温度以下の温度を示す信号であるか否かを判定する。制御部４３は、前記信号が予め定める温度以下の温度を示す信号である場合、ドラム６の冷却が完了したと判断してステップＳ１６に移行する。また制御部４３は、前記信号が予め定める温度以下の温度を示す信号でない場合、ドラム６の冷却が完了していないと判断してステップＳ１２に戻る。
【００６５】
＜ステップＳ１６＞
ステップＳ１６では、制御部４３は、負荷駆動部４４に、ファンモータ２３およびドラムモータ２４の稼働を停止する信号を送信して、ドラム式衣類乾燥機１の運転を終了する。ドラム式衣類乾燥機１の運転が終了するとステップ１に戻る。
【００６６】
前述したフローにおいて、ドアロックソレノイド４１Ｓを非通電とする時点（ステップＳ１３）をクールダウン温度に到達したとき（ステップＳ１５）とすることとすれば、ドラム式衣類乾燥機１内の温度が十分低くなった状態で開閉蓋３５を押し開くことができるようになり、利用者が扉体８を開いたときに不快感を味わうことが少なくなる。
【００６７】
上記のように、扉体８を閉じてドラム式衣類乾燥機１乾燥運転が開始され予め定める時間が経過すると、ドアロックソレノイド４１Ｓが通電されてロックピン４１Ｐが開閉蓋３５の裏側へ突出し、開閉蓋３５の回動を規制するため、開閉操作をすることができない。これによって、不所望に外方から扉体８が開放されることを防ぐことができるので、利用者がドラム式衣類乾燥機１の場所から離れていても、ドラム６内の衣類等の洗濯物が盗難に遭うことを防ぐことができる。
【００６８】
また、扉体８は、磁石の引力を利用した保持機構ＨＯにより本体開口３を閉じた状態に保持される構成であるため、ドラム８内に子供が入って状態で、開閉蓋３５が閉じられたとしても、扉体８をドラム６内側から押すことにより、磁石の引力に抗して扉体８を押し開くことができる。これによって、ドラム６内から子供の脱出が容易となる。
【００６９】
また前記保持機構ＨＯとしては、上記の磁石方式の他に、扉体８と本体２のうちの一方側に先端が膨出した突起体を取り付け、他方側にその突起体の膨出部を着脱自在に保持する弾性受け部を設けた周知の機械的キャッチャー方式を採用してもよい。また、磁石方式の他の形態としては、パッキン３３をゴム磁石入りパッキンとし、本体開口３の周縁部を磁性部とし、このゴム磁石が本体開口３の周縁部の磁性部３１に密着するようにしてもよい。いずれの構成であっても、保持機構ＨＯによって扉体８が本体開口３に密閉している状態において、ドラム６側から子供が扉体８を押せば容易に扉体８が開く程度に扉体８が本体開口３に保持される状態である。
【００７０】
本実施形態では、取っ手部３６は、蓋体８Ａの裏側まで侵入した指挿入用の凹部３７によって形成された指掛け部としたが、これに替えて凹部３７の底部に握り形態または摘まみ形態の取っ手を設ける構成でもよい。このような構成であっても、前述した実施形態と同様の効果を得ることができる。
【００７１】
本実施形態では、ドアロックソレノイド４１Ｓは１個であるが、ドアロックソレノイド４１Ｓが１個では、開閉蓋３５が開口部３７Ａを閉じた状態に保持することが不安定であれば、図５に一点鎖線で示すように、ドアロックソレノイド４１Ｓと同様の構成として、ロックピン４１Ｐ２を備えたドアロックソレノイド４１Ｓ２をドアロックソレノイド４１Ｓと対向配置し、取っ手ロックスイッチ４２と同様に取っ手ロックスイッチ４２２を設けて、ドアロックソレノイド４１Ｓと同様の動作をさせるようにすれば、その不安定を解消できる。
【００７２】
前述した実施形態では、ドラム式衣類乾燥機１について記載したが、全自動運転によって衣類等の洗濯物を洗濯脱水させ乾燥させる洗濯機能と乾燥機能の両方を備えたドラム式洗濯乾燥機においても、上記構成を採用することができる。このため、ドラム式洗濯乾燥機の場合のドラムは、洗濯及び乾燥するための洗濯物を出し入れする前面開口を形成した構成であり、この前面開口に対応してドラム式洗濯乾燥機の本体には、洗濯物を出し入れするための本体開口３が円形状に形成され、本体開口３を開閉する扉体８に、上記同様の取っ手装置１０が設けられるものとなる。
【符号の説明】
【００７３】
１・・・・・・ドラム式衣類乾燥機
２・・・・・・本体
２Ｂ・・・・・乾燥室
３・・・・・・本体開口
６・・・・・・ドラム
６Ａ・・・・・ドラムの前面開口
７・・・・・・ヒンジ装置
７Ａ・・・・・疑義・指導欄
８・・・・・・扉体
８Ａ・・・・・扉体の蓋体
１０・・・・・取っ手装置
１１・・・・・ガスバーナ式加熱装置
１５・・・・・コイン検出装置
２２・・・・・送風ファン
２３・・・・・ファンモータ
２４・・・・・ドラムモータ
３１・・・・・磁性部
３２・・・・・磁石
３３・・・・・パッキン
３４・・・・・ドアスイッチ
３５・・・・・開閉蓋
３６・・・・・取っ手部（指掛け部）
３７・・・・・凹部
３７Ａ・・・・凹部の開口部
３８・・・・・支持軸
３９・・・・・コイルバネ
４０・・・・・ストッパ
４１・・・・・規制手段
４１Ｓ・・・・ドアロックソレノイド
４１Ｐ・・・・ロックピン
４２・・・・・ドアロックスイッチ
ＨＯ・・・・保持機構
【図１】
2015159888.tif 000003
【図２】
2015159888.tif 000004
【図３】
2015159888.tif 000005
【図４】
2015159888.tif 000006
【図５】
2015159888.tif 000007
【図６】
2015159888.tif 000008
【図７】
2015159888.tif 000009
【図８】
2015159888.tif 000010
【図９】
2015159888.tif 000011